(57)【特許請求の範囲】
【請求項１】
５００ｎｍ以上かつ６２０ｎｍ以下の波長領域で発光ピークを有する低活性光を発する低活性光光源を環状に設けて前記低活性光を外側に向かって照射する低活性光外向照射手段と、
前記低活性光外向照射手段の外縁よりも内側に設けられて前記低活性光とは異なる色の光または視認することができない光からなる利用光を前記低活性光外向照射手段の内側または同内側方向に直交する前記低活性光外向照射手段の軸線方向の外側に向けて発する利用光光源を有する利用光照射手段とを備え、
前記低活性光光源および前記利用光光源のうちの少なくとも一方は、環状に形成された光源環状支持体に支持され、
光源環状支持体は、外周部に前記低活性光光源を支持するとともに内周部に前記利用光光源を支持することを特徴とする低誘引性照明装置。
【請求項２】
前記利用光照射手段は、前記利用光光源を前記低活性光外向照射手段よりも小さな環状に設けて前記利用光を内側に向けて発することを特徴とする請求項１記載の低誘引性照明装置。
【請求項３】
前記低活性光外向照射手段は、互いに同じ大きさまたは互いに異なる大きさの環状で複数設けられるとともに、これらの各低活性光外向照射手段が前記軸線方向に互いに隣接して配置されており、
前記利用光照射手段は、前記複数の低活性光外向照射手段のうちの少なくとも１つの内側に設けられていることを特徴とする請求項１又は２記載の低誘引性照明装置。
【請求項４】
前記低活性光外向照射手段は、互いに異なる大きさの環状で複数設けられており、
前記利用光照射手段は、前記複数の低活性光外向照射手段のうちの最も大きさが小さい前記低活性光外向照射手段の内側に設けられていることを特徴とする請求項３記載の低誘引性照明装置。
【請求項５】
前記利用光の照射領域内への物体の進入を検出する進入検出センサと、
前記進入検出センサからの検出信号に基づいて前記利用光照射手段における前記利用光光源の点灯を制御する制御手段と、を更に備えることを特徴とする請求項１〜４のいずれか一項記載の低誘引性照明装置。
【請求項６】
前記利用光照射手段は、前記利用光光源が白色光を照射することを特徴とする請求項１〜５のいずれか一項記載の低誘引性照明装置。
【発明の詳細な説明】
【技術分野】
【０００１】
本発明は、虫が誘引されることを抑えることができる低誘引性照明装置に関する。
【背景技術】
【０００２】
従来から、虫が誘引されることや虫が活発に活動することを抑制することを目的とした照明装置が提案されている。例えば、下記特許文献１には、白色の光を発光する複数の第１の発光素子間に５００ｎｍ以上の波長領域で発光ピークを有する複数の第２の発光素子を分散配置した室内用の照明装置（低誘引性照明装置）が開示されている。
【先行技術文献】
【特許文献】
【０００３】
【特許文献１】特開２００９−２２４１４８号公報
【０００４】
しかしながら、上記特許文献１に記載された照明装置においては、最大の発光強度を有する第１の発光素子が虫の誘引性が高い青色光（波長４００ｎｍ〜５００ｎｍ）を照射するため、虫の忌避効果が弱く屋外での使用には向かないという問題があった。
【０００５】
本発明は上記問題に対処するためなされたもので、その目的は、屋外においても虫の忌避効果が高い低誘引性照明装置を提供することにある。
【発明の概要】
【０００６】
上記目的を達成するため、本発明の特徴は、５００ｎｍ以上かつ６２０ｎｍ以下の波長領域で発光ピークを有する低活性光を発する低活性光光源を環状に設けて低活性光を外側に向かって照射する低活性光外向照射手段と、低活性光外向照射手段の外縁よりも内側に設けられて低活性光とは異なる色の光または視認することができない光からなる利用光を低活性光外向照射手段の内側または同内側方向に直交する低活性光外向照射手段の軸線方向の外側に向けて発する利用光光源を有する利用光照射手段とを備えることにある。
【０００７】
この場合、低誘引性照明装置は、低活性光外向照射手段および利用光照射手段を蛍光灯やＬＥＤ（Light Emitting Diode：発光ダイオード）などの発光体で構成した照明器具で構成できるとともに、低活性光外向照射手段と利用光照射手段とをそれぞれ別個の照明器具を組み合わせて構成することもできる。また、本発明者の実験によれば、低活性光の発光ピークは、好ましくは５７０ｎｍ以上かつ５９０ｎｍ以下の波長領域（黄色の光）、より好ましくは５９０ｎｍ以上かつ６２０ｎｍ以下（オレンジ色の光）の波長領域に設定するとよい。また、利用光は、低活性光の発光ピークとは異なる波長を発光ピークとする光の他に、低活性光の発光ピークを構成する波長を含みつつ他の波長を含むことによって低活性光とは異なる色に見える可視光や視認できない光（例えば、紫外線や赤外線）を含むものである。そして、この利用光は、低誘引性照明装置の利用者が必要とする光であり、例えば、利用者の手元を明るくする光であったり、作業をし易くする光であったり、植物の育成に適した光である。
【０００８】
このように構成した本発明の特徴によれば、低誘引性照明装置は、虫が明適応となる低活性光を外側に向けて照射する低活性光外向照射手段の内側に低活性光の発光ピークとは異なる色または無色の利用光を照射する利用光照射手段を設けているため、利用光の外側に低活性光が照射されて低活性光外向照射手段の外側における虫の走光性や活動が抑えられる。この結果、低誘引性照明装置は、屋外に置いても虫の高い忌避効果を発揮することができる。なお、虫とは、光によって直接誘引される虫（例えば、ユスリカ、ガ、ハエ、カメムシ、カナブン、カブトムシなど）のほか、光によって直接誘引されるこれらの虫を捕食する所謂捕虫害虫（例えば、クモやカマキリなど）を含むものである。
【０００９】
また、本発明の他の特徴は、前記低誘引性照明装置において、利用光照射手段は、利用光光源を低活性光外向照射手段よりも小さな環状に設けて利用光を内側に向けて発することもある。
【００１０】
このように構成した本発明の他の特徴によれば、低誘引性照明装置は、利用光照射手段が利用光光源を低活性光外向照射手段よりも小さな環状に設けられて利用光を内側に向けて発する、換言すれば、利用光光源が環の内側に向かって利用光を照射するように構成されているため、環状の利用光光源の軸線方向外側（低誘引性照明装置の正面側）に向かって光強度にムラのない均一な利用光を照射することができる。すなわち、低誘引性照明装置は、低誘引性照明装置によって利用光が照射される対象物に光強度にムラのない均一な利用光を照射することができる。
【００１１】
また、本発明の他の特徴は、前記低誘引性照明装置において、低活性光光源および利用光光源のうちの少なくとも一方は、環状に形成された光源環状支持体に支持されていることにある。
【００１２】
このように構成した本発明の他の特徴によれば、低誘引性照明装置は、低活性光光源および利用光光源のうちの少なくとも一方が環状に形成した光源環状支持体に設けられるため、低活性光外向照射手段および／または利用光照射手段をユニット化して製造やメンテナンスを行い易くすることができる。なお、この場合、低活性光外向照射手段は、低活性光光源を光源環状支持体の外周部に設けて構成することにより、低誘引性照明装置の外側の全周に向かって精度良く低活性光を照射できる。また、利用光照射手段は、利用光光源を光源環状支持体の内周部に設けて構成することにより、低活性光の照射方向に利用光が照射されることを防止することができ、低活性光外向照射手段の外側における虫の走光性や活動が抑えられる。また、これらの場合、光源環状支持体は、低活性光光源および／または利用光光源の幅よりも長さの長い筒状に形成するとよい。
【００１３】
また、本発明の他の特徴は、前記低誘引性照明装置において、光源環状支持体は、外周部に低活性光光源を支持するとともに内周部に利用光光源を支持することにある。
【００１４】
このように構成した本発明の他の特徴によれば、低誘引性照明装置は、光源環状支持体が低活性光光源と利用光光源とをそれぞれ支持しているため、低活性光の照射方向に利用光が照射されることを防止しながら低誘引性照明装置をコンパクトに構成することができる。
【００１５】
また、本発明の他の特徴は、前記低誘引性照明装置において、低活性光外向照射手段は、互いに同じ大きさまたは互いに異なる大きさの環状で複数設けられるとともに、これらの各低活性光外向照射手段が前記軸線方向に互いに隣接して配置されており、利用光照射手段は、前記複数の低活性光外向照射手段のうちの少なくとも１つの内側に設けられていることにある。
【００１６】
このように構成した本発明の他の特徴によれば、低誘引性照明装置は、環状の低活性光外向照射手段が複数設けられているとともに、これらの複数の低活性光外向照射手段のうちの少なくもとも１つに利用光照射手段が設けられているため、低活性光によって低誘引性照明装置の明るさを確保しつつ低誘引性照明装置の外側に大量の低活性光を照射することによって利用光の低活性光に対する相対的な光量を減らして虫の走光性や活動を抑えることができる。
【００１７】
また、本発明の他の特徴は、前記低誘引性照明装置において、低活性光外向照射手段は、互いに異なる大きさの環状で複数設けられており、利用光照射手段は、前記複数の低活性光外向照射手段のうちの最も大きさが小さい低活性光外向照射手段の内側に設けられていることにある。
【００１８】
このように構成した本発明の他の特徴によれば、低誘引性照明装置は、互いに大きさの異なる環状の低活性光外向照射手段が複数設けられているとともに、これらの複数の低活性光外向照射手段のうちの最も大きさが小さい低活性光外向照射手段の内側に利用光照射手段が設けられているため、低活性光の照射領域を低活性光外向照射手段の軸線方向外側（低誘引性照明装置の正面側）にも広げて低誘引性照明装置の明るさを確保しつつ利用光の低活性光に対する相対的な光量を減らして虫の走光性や活動を抑えることができる。
【００１９】
また、本発明の他の特徴は、前記低誘引性照明装置において、さらに、利用光の照射領域内への物体の進入を検出する進入検出センサと、進入検出センサからの検出信号に基づいて利用光照射手段における利用光光源の点灯を制御する制御手段を備えることにある。
【００２０】
このように構成した本発明の他の特徴によれば、低誘引性照明装置は、制御手段が進入検出センサからの検出信号を用いて利用光の照射領域内への物体の進入に応じて利用光光源の点灯および消灯の作動を制御するため、人や物の存在を検知して利用光が必要なときのみ照射することができ、より効果的に虫の誘引および活性化を抑制することができる。
【００２１】
また、本発明の他の特徴は、前記低誘引性照明装置において、利用光照射手段は、利用光光源が白色光を照射することにある。
【００２２】
このように構成した本発明の他の特徴によれば、低誘引性照明装置は、利用光照射手段が白色光を照射するため、利用光の必要な領域に対して汎用性の高い白色光を虫の誘引および活性化を抑制しつつ照射することができる。
【図面の簡単な説明】
【００２３】
【図１】本発明の一実施形態に係る低誘引性照明装置の外観構成および内部構成の各概略を模式的に示す正面断面図である。
【図２】図１に示す低誘引性照明装置のベース体の外観構成の概略を模式的に示す底面図である。
【図３】図１に示す低誘引性照明装置の作動を制御するための制御システムのブロック図である。
【図４】図１に示す低誘引性照明装置における低活性光および利用光の照射状態のイメージを模式的に示す正面断面図である。
【図５】本発明の変形例に係る低誘引性照明装置のベース体の外観構成の概略を模式的に示す底面図である。
【図６】本発明の他の変形例に係る低誘引性照明装置のベース体の外観構成の概略を模式的に示す底面図である。
【図７】本発明の他の変形例に係る低誘引性照明装置の外観構成および内部構成の各概略を模式的に示す正面断面図である。
【発明を実施するための形態】
【００２４】
以下、本発明に係る低誘引性照明装置の一実施形態について図面を参照しながら説明する。図１は、本発明に係る低誘引性照明装置１００の構成の概略を模式的に示す正面断面図である。また、図２は、図１に示す低誘引性照明装置１００のベース体１０１の外観構成の概略を模式的に示す底面図である。また、図３は、図１に示す低誘引性照明装置１００の作動を制御するための制御システムのブロック図である。なお、本明細書において参照する各図は、本発明の理解を容易にするために一部の構成要素を誇張して表わすなど模式的に表していることがあるため、各構成要素間の寸法や比率などは異なっていることがある。この低誘引性照明装置１００は、アパートやマンションなどの集合住宅において、屋外に対して開放された階段や通路などの共用スペースに設置される照明器具である。
【００２５】
（低誘引性照明装置１００の構成）
低誘引性照明装置１００は、ベース体１０１を備えている。ベース体１０１は、後述する第１低活性光外向照射器１１０、第２低活性光外向照射器１２０および利用光照射器１３０をそれぞれ支持する金属製の部品であり、金属板をプレス加工することによって成形されている。より具体的には、ベース体１０１は、円板状に形成された支持部１０２の中央部に貫通孔が形成されて制御部ハウジング１０５を備えるとともに同支持部１０２の外縁部が図示下方に向かって屈曲して下垂した側壁部１０３が形成されて構成されている。
【００２６】
支持部１０２は、第１低活性光外向照射器１１０、第２低活性光外向照射器１２０および利用光照射器１２０および進入検出センサをそれぞれ支持する部分であり、低誘引性照明装置１００が取り付けられる天井や壁などの取付面Ｆに対して平行に延びる平板状に形成されている。側壁部１０３は、支持部１０２（換言すれば、取付面Ｆ）に対して直交する方向に延びて形成されるとともに先端部の一部がベース体１０１の径方向外側に向かって張り出してカバー保持部１０４が形成されている。
【００２７】
カバー保持部１０４は、カバー１６０を着脱自在に引っ掛けて保持する板状の部分である。これらの支持部１０２、側壁部１０３およびカバー保持部１０４からなる支持部１０２は、金属板を一体成形した後、第１低活性光外向照射器１１０、第２低活性光外向照射器１２０および利用光照射器１２０からそれぞれ照射される低活性光Ｌ１および利用光Ｌ２をそれぞれ拡散反射するように白色に塗装して形成される。また、制御部ハウジング１０５は、後述する制御部１４０を収容する部品であり、樹脂製の円筒体の両端部を塞いだ中空体で構成されている。
【００２８】
第１低活性光外向照射器１１０は、５００ｎｍ以上かつ６２０ｎｍの波長領域で発光ピークを有する低活性光Ｌ１を照射する照明器具であり、主として、光源環状支持体１１１および低活性光光源１１３によって構成されている。ここで、低活性光Ｌ１とは、虫が活動を停止して休止状態となる光である。より具体的には、虫が休止状態となる低活性光Ｌ１は、主として夜行性の虫が昼間などの明るい環境下において移動、吸汁、捕食、交尾、産卵などの活動を控えまたは休止する所謂明適応状態となる光であり、概ね５００ｎｍ以上（緑色）かつ６２０ｎｍ（オレンジ色）以下の波長領域の光である。なお、低活性光Ｌ１は、各図において破線で示す。
【００２９】
光源環状支持体１１１は、複数の低活性光光源１１３を環状に配置した状態で支持するための部品であり、帯状に延びる金属板を円筒状に成形して構成されている。この場合、光源環状支持体１１１は、ベース体１０１における側壁部１０３に対してメンテナンスに必要な隙間を確保可能な直径で形成されるとともに、各低活性光光源１１３を保持可能な程度に低活性光光源１１３の幅よりも長い長さの筒状に形成されている。
【００３０】
この光源環状支持体１１１の外周面には、各低活性光光源１１３が各低活性光光源１１３にそれぞれ電力を供給する帯状のフレキシブル基板（図示せず）を介して取り付けられている。そして、この光源環状支持体１１１は、ベース体１０１の支持部１０２から延びる２つの取付片１１２によって同支持部１０２に固定的に取り付けられている。この場合、光源環状支持体１１１は、ベース体１０１の支持部１０２に対して軸線方向が直交する向きで取り付けられている。また、取付片１１２は、光源環状支持体１１１をベース体１０１の側壁部１０３よりも下方に張り出す位置で支持する。
【００３１】
低活性光光源１１３は、５００ｎｍ以上かつ６２０ｎｍの波長領域で発光ピークを有する低活性光Ｌ１を発光する発光体である。本実施形態においては、低活性光光源１１３は、５９０ｎｍの波長が発光ピークとなるＬＥＤ発光素子（Light Emitting Diode：発光ダイオード）によって構成されている。そして、本実施形態においては、第１低活性光外向照射器１１０は、光源環状支持体１１１の外周面上に２４個の低活性光光源１１３が等間隔に取り付けられて構成されている。また、これらの各低活性光光源１１３は、後述する制御部１５０によって作動が制御される。
【００３２】
第２低活性光外向照射器１２０は、前記第１低活性光外向照射器１１０と同様に５００ｎｍ以上かつ６２０ｎｍの波長領域で発光ピークを有する低活性光Ｌ１を照射する照明器具であり、主として、光源環状支持体１３０および低活性光光源１２１によって構成されている。
【００３３】
ここで、低活性光光源１２１は、前記低活性光光源１１３と同様に、５００ｎｍ以上かつ６２０ｎｍの波長領域で発光ピークを有する低活性光Ｌ１を発光する発光体である。本実施形態においては、低活性光光源１２１は、前記低活性光光源１１３と同様に、５９０ｎｍの波長が発光ピークとなるＬＥＤ発光素子（Light Emitting Diode：発光ダイオード）によって構成されている。そして、本実施形態においては、第２低活性光外向照射器１２０は、光源環状支持体１３０の外周面上に２４個の低活性光光源１２１が等間隔に取り付けられている。また、これらの各低活性光光源１２１は、制御部１５０によって作動が制御される。
【００３４】
光源環状支持体１３０は、前記光源環状支持体１１１と同様に、複数の低活性光光源１２１および後述する複数の利用光光源１４１をそれぞれ環状に配置した状態で支持するための部品であり、帯状に延びる金属板を円筒状に成形して構成されている。この場合、光源環状支持体１３０は、光源環状支持体１１１に対してメンテナンスに必要な隙間を確保可能な直径で形成されるとともに、各低活性光光源１２１および各利用光光源１４１をそれぞれ保持可能な程度に低活性光光源１２１および利用光光源１４１の各幅よりも長い長さの筒状に形成されている。
【００３５】
この光源環状支持体１３０には、外周面に各低活性光光源１２１がこれらの各低活性光光源１２１にそれぞれ電力を供給する帯状のフレキシブル基板（図示せず）を介して取り付けられているとともに、内周面に各利用光光源１４１がこれらの各利用光光源１４１にそれぞれ電力を供給する帯状のフレキシブル基板（図示せず）を介して取り付けられている。そして、この光源環状支持体１３０は、光源環状支持体１１１から延びる２つの取付片１３１によって同光源環状支持体１１１に固定的に取り付けられている。この場合、光源環状支持体１３０は、ベース体１０１の支持部１０２に対して軸線方向が直交する向きで取り付けられている。すなわち、光源環状支持体１３０は、本実施形態においては、光源環状支持体１１１と同心で取り付けられている。
【００３６】
また、取付片１３１は、光源環状支持体１３０を光源環状支持体１１１から図示下方に張り出す位置で支持する。これにより、低活性光光源１２１は、低活性光光源１１３に対して光源環状支持体１１１の中心軸方向外側にずれた位置に並んで、換言すれば、低活性光光源１１３に対して図示下方にずれた位置に並んで配置される。
【００３７】
利用光照射器１４０は、低活性光Ｌ１の発光ピークとは異なる色、すなわち、低活性光Ｌ１の発光ピークとは異なる波長の発光ピークを有する利用光Ｌ２を照射する照明器具であり、主として、光源環状支持体１３０および利用光光源１４１によって構成されている。ここで、利用光Ｌ２とは、この低誘引性照明装置１００の利用者が照明として必要とする波長の光であり、例えば、白色光である。すなわち、本実施形態においては、利用光光源１４１は、白色光を照射するＬＥＤ発光素子（Light Emitting Diode：発光ダイオード）によって構成されている。
【００３８】
この場合、白色光は、可視光線の全域に渡って連続したスペクトルによって実現される光であり、光の三原色の混合や補色関係にある２色の混合などによって人間の目で白色に見える光である。本実施形態においては、利用光光源１４１は、青色（約４２０〜４７０ｎｍの波長領域の光）を発光するＬＥＤ発光素子の外側に黄色の蛍光物質を塗布した樹脂製の透光性カバーで覆って構成されている。そして、本実施形態においては、利用光照射器１４０は、光源環状支持体１３０の内周面上に１８個の利用光光源１４１が等間隔に取り付けられて構成されている。また、これらの各利用光光源１４１は、後述する制御部１５０によって作動が制御される。なお、利用光Ｌ２は、各図において破線で示す。また、低活性光Ｌ１と利用光Ｌ２との境界は便宜上破線で示しているが、実際の両者の境界は徐々に変化して不明確である。
【００３９】
制御部１５０は、マイクロコンピュータによって構成されており、第１低活性光外向照射器１１０、第２低活性光外向照射器１２０および利用光照射器１４０の作動をそれぞれ制御する機器であり、制御部ハウジング１０５内に収容されている。より具体的には、制御部１５０は、マイクロコンピュータにおける記憶装置（例えば、ＲＯＭ）内に予め記憶された図示しない制御プログラムに従って進入検出センサ１５１からの検出信号を用いて第１低活性光外向照射器１１０、第２低活性光外向照射器１２０および利用光照射器１４０の各作動をそれぞれ制御する。本実施形態においては、制御部１５０は、電源がＯＮの状態において第１低活性光外向照射器１１０および第２低活性光外向照射器１２０をそれぞれ常時点灯させるとともに、低誘引性照明装置１００に対して所定の領域に物体が進入した場合にのみ利用光照射器１４０を点灯させる。
【００４０】
進入検出センサ１５１は、低誘引性照明装置１００によって照らされる領域、より具体的には、利用光照射器１４０によって利用光Ｌ２が照射される領域に人や物などの物体が進入した際に物体の進入変化に対応する電気信号を進入検出信号として制御部１５０に出力する検出器である。本実施形態においては、進入検出センサ１５１は、物体が発する熱（赤外線）を感知して進入検出信号として出力する所謂人感センサで構成されている。この進入検出センサ１５１は、利用光照射器１４０によって利用光Ｌ２が照射される領域を進入検出領域となるようにベース部１０１の支持部１０２の中央部に支持台１５２を介して取り付けられている。
【００４１】
また、この制御部１５０は、第１低活性光外向照射器１１０、第２低活性光外向照射器１２０、利用光照射器１４０および進入検出センサ１５２をそれぞれ駆動するための電力を外部電源（例えば、１００Ｖコンセント）に繋がった給電部Ｐから受けるための電気回路からなる電源部１５３および制御部１５０への指示を入力するための操作子１５４をそれぞれ備えている。
【００４２】
この場合、電源部１５３は、前記給電部Ｐに対して電気的に着脱自在に接続するための図示しない接続端子が制御部ハウジング１０５の取付面Ｆ側に対向する端面（図示上側の端面）から露出した状態で設けられている。また、操作子１５４は、進入検出センサ１５２の検出感度、利用光照射器１４０の点灯時間や点灯照度などを所定の範囲内で調節して設定することができる。
【００４３】
カバー１６０は、第１低活性光外向照射器１１０、第２低活性光外向照射器１２０、利用光照射器１４０からそれぞれ照射される低活性光Ｌ１および利用光Ｌ２を透過させつつベース体１０１の内側を着脱自在に覆う部品であり、乳白色の半透明な樹脂材を断面が水滴状の曲面で構成されている。すなわち、カバー１６０は、第１低活性光外向照射器１１０、第２低活性光外向照射器１２０、利用光照射器１４０からそれぞれ照射される低活性光Ｌ１および利用光Ｌ２の指向性を低減、換言すれば、低活性光Ｌ１および利用光Ｌ２の一部を拡散反射するとともに他の一部を透過させるように構成されている。
【００４４】
この場合、カバー１６０は、例えば、低活性光Ｌ１および利用光Ｌ２がそれぞれ透過する面に複数の凹凸を形成した所謂梨地で構成することができる。また、カバー１６０は、例えば、低活性光Ｌ１および利用光Ｌ２がそれぞれ透過する面に光散乱剤（例えば、炭酸マグネシウムや酸化チタンなどを含む顔料）を塗布して構成することもできる。また、カバー１６０の中央部には、進入検出センサ１５２が貫通して外部に対して露出した状態とするための貫通孔が形成されている。
【００４５】
（低誘引性照明装置１００の作動）
次に、このように構成された低誘引性照明装置１００の作動について説明する。まず、低誘引性照明装置１００を設置する設置者は、低誘引性照明装置１００を取付面Ｆに取り付ける。この場合、低誘引性照明装置１００は、例えば、建物内における屋外に対して開放された階段や通路などの壁や天井部などの取付面Ｆに取り付けられる。本実施形態においては、設置者は、アパートやマンションなどの集合住宅における共用通路の各戸の玄関扉近傍の天井面に低誘引性照明装置１００を設置する。具体的には、設置者は、低誘引性照明装置１００の電源部１５３を取付面Ｆに設けられた給電部Ｐに接続する。これにより、低誘引性照明装置１００は、取付面Ｆに取り付けられるとともに、制御部１５０に電力供給可能な状態となる。
【００４６】
次に、設置者は、制御部１５０に対して利用光照射器１４０の作動仕様を設定する。具体的には、設置者は、利用光照射器１４０を点灯させる条件である進入検出センサ１５２の検出感度、点灯開始から消灯までの点灯時間および照度を操作子１５４を介して制御部１５０に設定する。これにより、制御部１５０は、設定した作動仕様に従って利用光照射器１４０の作動を制御する。
【００４７】
次に、低誘引性照明装置１００の使用者は、低誘引性照明装置１００の使用を開始する。具体的には、使用者は、低誘引性照明装置１００が設置された共用通路上に設けられている図示しない電源スイッチをＯＮにすることによって制御部１５０に対して電力を供給する。これにより、制御部１５０は、給電部１５３からの給電を受けて作動を開始する。具体的には、制御部１５０は、記憶装置内に予め記憶された制御プログラムを実行することによって第１低活性光外向照射器１１０および第２低活性光外向照射器１２０を点灯させるとともに、進入検出センサ１５１からの検出信号を入力して利用光照射器１４０の作動制御を開始する。
【００４８】
これにより、低誘引性照明装置１００は、図３に示すように、低活性光光源１１３および低活性光光源１２１からそれぞれ照射された低活性光Ｌ１がベース体１０１およびカバー１６０の各内壁面を拡散反射しながらカバー１６０を介して外部に向かって出射する。この場合、カバー１６０は、主として、第１低活性光外向照射器１１０および第２低活性光外向照射器１２０に対応する部分（カバー１６０の外表面における光源環状支持体１３０の直下の円形部分以外の部分）が低活性光Ｌ１によって面発光する。このため、低誘引性照明装置１００は、光源環状支持体１３０の直下の円柱状の領域の外側に向かって低活性光Ｌ１を照射する。これにより、低誘引性照明装置１００は、低活性光Ｌ１によって低誘引性照明装置１００の周囲に存在する虫の誘引および活動を抑制することができる。
【００４９】
一方、低誘引性照明装置１００は、低誘引性照明装置１００の直下、すなわち、利用光照射器１４０の照射領域に人などの物体が一定時間の進入した場合には、進入検出センサ１５２からの検出信号に基づいて制御部１５０が利用光照射器１４０を点灯させる。この場合、低誘引性照明装置１００は、第１低活性光外向照射器１１０および第２低活性光外向照射器１２０の点灯によってカバー１６０がリング状に面発光している状態で利用光照射器１４０が利用光Ｌ２を照射する。このため、低誘引性照明装置１００は、図４に示すように、低活性光Ｌ１がリング状に面発光しているカバー１６０の中央部から利用光Ｌ２が円状に照射されて、低誘引性照明装置１００の前方（図示下方）の領域に対して利用光Ｌ２の照射領域の周囲を囲むように低活性光Ｌ１が照射される。
【００５０】
これにより、低誘引性照明装置１００は、低誘引性照明装置１００の直下に位置した人に対して低活性光Ｌ１に比べて明るく手元などが見易い光（利用光Ｌ２）を照射しながら、その周囲を低活性光Ｌ１で覆うことによって害虫（例えば、不快害虫、農業害虫または衛生害虫や、これらの虫を捕食する捕虫害虫）などの虫の誘引や活発な活動を抑制することができる。そして、低誘引性照明装置１００は、利用光照射器１４０の照射領域に人などの物体が存在しなくなった場合には、制御部１５０によって利用光照射器１４０を消灯させる。これにより、低誘引性照明装置１００は、利用光照射器１４０を点灯させる前の第１低活性光外向照射器１１０および第２低活性光外向照射器１２０の点灯状態に戻る。このような第１低活性光外向照射器１１０および第２低活性光外向照射器１２０の連続的点灯および利用光照射器１４０の断続的点灯は、使用者による前記電源スイッチのＯＦＦ操作まで続行される。
【００５１】
上記作動説明からも理解できるように、上記実施形態によれば、低誘引性照明装置１００は、虫が明適応となる低活性光Ｌ１を外側に向けて照射する第１低活性光外向照射器１１０および第２低活性光外向照射器１２０の内側に低活性光Ｌ１の発光ピークとは異なる白色の利用光Ｌ２を照射する利用光照射器１４０を設けているため、利用光Ｌ２の外側に低活性光Ｌ１が照射されて第１低活性光外向照射器１１０および第２低活性光外向照射器１２０の外側における虫の走光性や活動が抑えられる。この結果、低誘引性照明装置１００は、屋外に置いても虫の高い忌避効果を発揮することができる。
【００５２】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付して重複する説明は省略する。
【００５３】
例えば、上記実施形態においては、低活性光光源１１３，１２１は、５９０ｎｍの波長が発光ピークとなるＬＥＤ発光素子によって構成した。しかし、低活性光光源１１３，１２１は、５００ｎｍ以上かつ６２０ｎｍの波長領域で発光ピークを有する低活性光Ｌ１を照射することができる光学機器であれば上記実施形態に限定されるものではない。したがって、低活性光光源１１３，１２１は、虫が明適応状態となる概ね５００ｎｍ以上（緑色）かつ６２０ｎｍ（オレンジ色）以下の波長領域で発光ピークを有する低活性光Ｌ１を照射する各種光学機器、例えば、ＬＥＤ発光素子のほか、蛍光灯、水銀灯、ハロゲンランプまたは電球などで構成することができる。この場合、本発明者の実験によれば、低活性光Ｌ１の発光ピークは、好ましくは５７０ｎｍ以上かつ５９０ｎｍ以下の波長領域、より好ましくは５９０ｎｍ以上かつ６２０ｎｍ以下の波長領域に設定するとよい。
【００５４】
また、上記実施形態においては、低誘引性照明装置１００は、低活性光Ｌ１を照射する器具として第１低活性光外向照射器１１０および第２低活性光外向照射器１２０を備えて構成した。すなわち、第１低活性光外向照射器１１０および第２低活性光外向照射器１２０が本発明に係る低活性光外向照明照射手段に相当する。この場合、低活性光外向照明照射手段は、５００ｎｍ以上かつ６２０ｎｍ以下の波長領域で発光ピークを有する低活性光を発する低活性光光源を環状に設けて低活性光Ｌ１を外側に向かって照射するように構成すれば、第１低活性光外向照射器１１０および第２低活性光外向照射器１２０のように、２つ以上の低活性光外向照射器で構成してもよいし、１つの低活性光外向照射器で構成してもよい。
【００５５】
ここで、低活性光外向照射器を２つ以上で構成する場合、各低活性光外向照射器は上記実施形態のように互いに異なる大きさの環状に形成されていてもよいし、互いに同じ大きさの環状に形成されていてもよい。また、これらの場合、環状とは、円環状や円筒状の他に多角環状（例えば、三角形、四角形、五角形、六角形、七角形、八角形など）および多角筒状を含むものである。また、これらの場合、各低活性光外向照射器は、軸線方向に沿って隣接配置するとよい。また、これらの場合、利用光照射器１４０は、２つ以上の低活性光外向照射器のうちの少なくとも１つの内側に設けるとよい。また、互いに異なる大きさの２つ以上の低活性光外向照射器を備える場合においては、最も大きさが小さい低活性光外向照射器の内側に設けるとよい。
【００５６】
また、上記実施形態においては、第１低活性光外向照射器１１０、第２低活性光外向照射器１２０および利用光照射器１４０は、低活性光光源１１３，１２１および利用光光源１４１を光源環状支持体１１１，１３０で支持するように構成した。しかし、第１低活性光外向照射器１１０、第２低活性光外向照射器１２０および利用光照射器１４０は、低活性光光源１１３，１２１および利用光光源１４１を光源環状支持体１１１，１３０を取付片１１２などの支持部材によって個別に支持させるように構成することもできる。
【００５７】
また、上記実施形態においては、利用光照射器１４０は、利用光光源１４１を低活性光光源１２１を支持する光源環状支持体１３０で支持するように構成した。しかし、利用光照射器１４０は、利用光光源１４１を低活性光光源１２１を支持する光源環状支持体１３０とは別個の光源環状支持体で支持するように構成することもできる。この場合、利用光光源１４１を光源環状支持体は、低活性光光源１２１を支持する光源環状支持体１３０よりも小さい環状に形成するとよい。そして、この場合、利用光光源１４１を光源環状支持体は、筒状に形成することにより利用光Ｌ２が低活性光Ｌ１の照射方向に照射されることを効果的に防止することができる。
【００５８】
また、上記実施形態においては、低誘引性照明装置１００は、利用光Ｌ１を照射する器具として利用光照射器１４０を備えて構成した。すなわち、利用光照射器１４０が、本発明に係る利用光照射手段に相当する。この場合、利用光照射手段は、前記低活性光外向照射手段の外縁よりも内側に設けられて低活性光Ｌ１とは異なる色の光または視認することができない光からなる利用光Ｌ２を低活性光外向照射手段の内側または同内側方向に直交する低活性光外向照射手段の軸線方向の外側（低誘引性照明装置１００の正面側（前方側））に向けて発する利用光光源を有して構成されていればよい。
【００５９】
したがって、利用光照射器１４０は、利用光光源１４１を光源環状支持体１３０に支持させて環状に形成する以外に、ベース体１０１に支持させることもできる。具体的には、利用光照射器１４０は、例えば、図５に示すように、利用光光源１４１をベース体１０１の支持部１０２における光源環状支持体１３０の内側部分に環状に設けて構成することができる（図５においては、利用光源１４１は１８個）。この場合、利用光光源１４１は、環状の他に十字状や方形状に配置することもできる。また、利用光照射器１４０は、例えば、図６に示すように、進入検出センサ１５２に代えて利用光光源１４１をベース体１０１の支持部１０２における中央部の支持台１５２上に１つだけ設けて構成することもできる。これらにより、利用光照射器１４０は、利用光Ｌ２を低活性光外向照射手段の軸方向外側である低誘引性照明装置の正面側（前方側）に向かって直接利用光Ｌ２を照射することができる。
【００６０】
また、利用光照射器１４０は、例えば、図７に示すように、利用光光源１４１がベース体１０１の支持部１０２に向かって利用光Ｌ２を照射（低活性光外向照射手段の軸方向外側に向かって照射）するように光源環状支持体１３０の内周面に支持させて構成することもできる。これによれば、利用光照射器１４０は、ベース体１０１による拡散反射を介して利用光Ｌ２を低活性光外向照射手段の軸方向外側である低誘引性照明装置の正面側（前方側）に向かって照射することができる。
【００６１】
また、上記実施形態においては、利用光照射器１４０は、利用光光源１４１を白色光を照射するＬＥＤ発光素子で構成した。しかし、利用光光源１４１は、低活性光Ｌ１とは異なる色の光または視認することができない光であって低誘引性照明装置１００の利用者が所望する波長構成の利用光Ｌ２を照射することができる光学機器であれば上記実施形態に限定されるものではない。したがって、利用光光源１４１は、白色以外の可視光を照射する光源で構成することができる。
【００６２】
この場合、利用光光源１４１は、例えば、赤色光（波長が６４０〜６９０ｎｍ）を発する赤色ＬＥＤ発光素子および青色光（波長が４２０〜４７０ｎｍ）を発する青色ＬＥＤ発光素子で構成することができる。この場合、赤色光は植物の葉の成長および光合成を活発化させる光であるとともに、青色光は植物の茎の成長を活発化させ、さらには形態を整える光であることが知られている。したがって、低誘引性照明装置１００は、利用光光源１４１を青色および赤色の利用光Ｌ２を照射するように構成することによって、植物への虫の誘引や活動を抑えながら効率的に植物を栽培することができる。この場合、利用光光源１４１は、植物の効果的な育成を図るには青色光の割合に対して赤色光の割合を大きくするとよい。また、低誘引性照明装置１００は、利用光照明器１４０を夜間において植物の育成に必要な最低時間の間だけ点灯、または常時点灯するように構成するとよい。
【００６３】
また、利用光光源１４１は、ＬＥＤ発光素子のほかに、蛍光灯、水銀灯、ハロゲンランプまたは電球などで構成することができる。この場合、利用光光源１４１を指向性の高い光源、例えば、スポットライトで構成することによって利用光Ｌ２の集中させることができるとともに利用光Ｌ２の拡散を防止することができる。また、利用光光源１４１の周囲を円筒体で囲むことによっても利用光Ｌ２の低活性光Ｌ１側への拡散を抑制することができる。また、利用光光源１４１の数についても、利用光Ｌ２について必要な照度を確保できればよいため、２つ以下でもよいし４つ以上であってもよい。
【００６４】
また、上記実施形態においては、低誘引性照明装置１００は、進入検出センサ１５１を用いて利用光照射器１４０の利用光Ｌ２の照射領域に人などの物体が進入した際に利用光Ｌ２を照射するように構成した。しかし、低誘引性照明装置１００は、進入検出センサ１５１を省略して構成することができる。この場合、低誘引性照明装置１００は、利用光照射器１４０を低誘引性照明装置１００の使用者の手動操作によって点灯または消灯させるための手動スイッチを設けて構成してもよいし、第１低活性光外向照射器１１０および第２低活性光外向照射器１２０の点灯または消灯の各動作に利用光照射光源１３０の点灯または消灯の各動作が連動するように構成することもできる。
【００６５】
また、低誘引性照明装置１００は、進入検出センサ１５１として赤外線以外の方式で人や物の存在を検出する検出手段やその他の制御機器を用いて利用光照射器１４０の作動を制御することができる。例えば、低誘引性照明装置１００は、マイクロ波や超音波を用いた進入検出センサ１５１によって利用光照射器１４０の利用光Ｌ２の照射領域への人などの物体の進入を検出して利用光Ｌ２を照射するように構成することができる。また、低誘引性照明装置１００は、タイマーを用いて所定の時間に利用光照射器１４０の点灯または消灯の各動作を制御するように構成することもできる。
【００６６】
また、上記実施形態においては、低誘引性照明装置１００は、第１低活性光外向照射器１１０および第２低活性光外向照射器１２０を使用者による手動操作によって点灯または消灯させるように構成した。しかし、低誘引性照明装置１００は、低誘引性照明装置１００の周囲の明るさに応じて第１低活性光外向照射器１１０および第２低活性光外向照射器１２０を自動的に点灯または消灯するように構成することもできる。この場合、低誘引性照明装置１００は、低誘引性照明装置１００の周囲の明るさを検出する照度検出センサを備えるとともに、制御部１５０は照度検出センサによる検出信号に基づいて第１低活性光外向照射器１１０および第２低活性光外向照射器１２０の点灯または消灯を制御する。また、低誘引性照明装置１００は、タイマー装置を用いて所定の時間に第１低活性光外向照射器１１０および第２低活性光外向照射器１２０の点灯または消灯の各動作を制御することができる。また、低誘引性照明装置１００は、利用光照射器１４０の点灯または消灯の各動作に第１低活性光外向照射器１１０および第２低活性光外向照射器１２０の点灯または消灯の各動作が連動するように構成することもできる。
【００６７】
また、上記実施形態においては、ベース体１０１は、底面視で円形に形成した。しかし、ベース体１０１の形状は、必ずしも上記実施形態に限定されるものではなく、円形以外の形状、例えば、底面視で方形に形成することもできる。また、ベース体１０１は、支持部１０２上にシート状（例えば、金属箔や金属板）の反射板（図示せず）を設けることによって第１低活性光外向照射器１１０、第２低活性光外向照射器１２０および利用光照射器１４０からそれぞれ照射される低活性光Ｌ１や利用光Ｌ２の光量を増加させることができる。
【００６８】
また、上記実施形態においては、低誘引性照明装置１００は、半透明のカバー１６０を備えて構成した。しかし、低誘引性照明装置１００は、透明のカバー１６０を備えて構成することができるとともに、カバー１６０を省略して構成することもできる。また、カバー１６０は、利用光照射器１４０が対向する中央部部分のみ透明に構成するとともに、この透明部分以外の部分を半透明で構成することもできる。これによれば、低誘引性照明装置１００は、カバー１６０を介して低活性光Ｌ１を面発光させながら利用光Ｌ２の光量減少を抑えて照射することができる。また、カバー１６０は、樹脂材のほか、ガラス材を用いて構成することもできる。
【００６９】
また、上記実施形態においては、低誘引性照明装置１００は、アパートやマンションなどの集合住宅において、屋外に対して開放された階段や通路などの共用スペースに設置した。しかし、低誘引性照明装置１００は、集合住宅以外の場所、例えば、屋根付き駐車場、屋根付き駐輪場、駅の構内、食堂、病院、学校、各種店舗、農場または植物栽培ハウスなどの照明器具として用いることができる。
【符号の説明】
【００７０】
Ｆ…取付面、Ｌ１…低活性光、Ｌ２…利用光、Ｐ…給電部、
１００…低誘引性照明装置、
１０１…ベース体、１０２…支持部、１０３…側壁部、１０４…カバー保持部、１０５…制御部ハウジング、
１１０…第１低活性光外向照射器、１１１…光源環状支持体、１１２…取付片、１１３…低活性光光源、
１２０…第２低活性光外向照射器、１２１…低活性光光源、
１３０…光源環状支持体、１３１…取付片、
１４０…利用光照射器、１４１…利用光光源、
１５０…制御部、１５１…進入検出センサ、１５２…支持台、１５３…電源部、１５４…操作子、
１６０…カバー。
【図１】
0006433734.tif 000002
【図２】
0006433734.tif 000003
【図３】
0006433734.tif 000004
【図４】
0006433734.tif 000005
【図５】
0006433734.tif 000006
【図６】
0006433734.tif 000007
【図７】
0006433734.tif 000008